(57)【要約】      （修正有）【課題】ＩＣカード特有の性質を利用して嗜好性を向上させたパスケースを提供する。【解決手段】非接触型ＩＣカードを収納するパスケース１であって、パスケースの平面上に券回されたアンテナコイル２１と、アンテナコイル２１の端部間に接続される発光素子２２とを有するＩＣカードの情報の送受信の際に発生する電波によって、アンテナコイルに電流が流れ、発光素子を発光させる。これにより、パスケースの外観の嗜好性を向上させることができる。【選択図】図１
0003132128.tif 000002
【実用新案登録請求の範囲】
【請求項１】
非接触型ＩＣカードを収納するパスケースであって、
パスケースの平面上に券回されたアンテナコイルと、
前記アンテナコイルの端部間に接続される発光素子と、
を有することを特徴とするパスケース。
【請求項２】
請求項１に記載のパスケースであって、
前記発光素子は発光ダイオードであり、
前記パスケースの表面には、前記発光ダイオードを覆い且つ光透過するマスクを取り付けたことを特徴とするパスケース。
【請求項３】
請求項１に記載のパスケースであって、
前記アンテナコイルは、パスケースの窓に取り付けられる透明シートの周縁に敷設したことを特徴とするパスケース。
【請求項４】
請求項１に記載のパスケースであって、
前記アンテナコイルは、パスケースの基材となるベースシートに敷設したことを特徴とするパスケース。
【考案の詳細な説明】
【技術分野】
【０００１】
本考案は、非接触型ＩＣカードを収納するパスケースに関する。
【背景技術】
【０００２】
従来、非接触型のＩＣカードを収納するパスケースがある（例えば、特許文献１参照）。このようなパスケースは、中に収納された非接触型のＩＣカードを汚れや衝撃から保護する。
【０００３】
【特許文献１】特開２００５−１４９２３８
【考案の開示】
【考案が解決しようとする課題】
【０００４】
ここで従来は、ＩＣカードを収納するパスケースの外観は、磁気読取式定期券など、通常のカードに用いるカードケースと同様のものとなっていた。このため、ＩＣカードのパスケースとして特に変わった特徴があるわけではなく、嗜好性に乏しいという問題があった。
【０００５】
そこで本考案の目的は、ＩＣカード特有の性質を利用して嗜好性を向上させたパスケースを提供することである。
【課題を解決するための手段】
【０００６】
上記目的を達成するための本考案の構成は次のとおりである。
【０００７】
（１）
非接触型ＩＣカードを収納するパスケースであって、パスケースの平面上に券回されたアンテナコイルと、前記アンテナコイルの端部間に接続される発光素子と、を有することを特徴とするパスケース。
【０００８】
（２）
（１）に記載のパスケースであって、前記発光素子は発光ダイオードであり、前記パスケースの表面には、前記発光ダイオードを覆い且つ光透過するマスクを取り付けたことを特徴とするパスケース。
【０００９】
（３）
（１）に記載のパスケースであって、前記アンテナコイルは、パスケースの窓に取り付けられる透明シートの周縁に敷設したことを特徴とするパスケース。
【００１０】
（４）
（１）に記載のパスケースであって、前記アンテナコイルは、パスケースの基材となるベースシートに敷設したことを特徴とするパスケース。
【考案の効果】
【００１１】
（１）の構成によれば、ＩＣカードの情報の送受信の際に発生する電波によって、アンテナコイルに電流が流れ、発光素子を発光させる。これにより、パスケースの外観の嗜好性を向上させることができる。
【００１２】
（２）の構成によれば、マスクに装飾性を付与することができ、また、発光ダイオードの光がマスクを透過してマスクの状態に変化を与え、意匠性を向上させる。これにより、パスケースの外観の嗜好性を向上させることができる。
【００１３】
（３）の構成によれば、ＩＣカードの表面の表示をアンテナコイルが遮ることがなく、ＩＣカードの表面の記載を確認しやすいため、使いやすい。また、アンテナコイルを表面にあるシートによって隠すと、アンテナコイルが外から見えてしまうことを防止する。すると、外から見た場合、パスケースに電流が流れてマスク内が光ることを予測されることがない。このため、使用時にマスクが光るという意外性を使用者に与えることができ、パスケースの外観の嗜好性を向上させることができる。
【００１４】
（４）の構成によれば、アンテナコイルが外から見えてしまうことを防止し、前述と同様、使用時にマスクが光るという意外性を使用者に与えることができる。
【考案を実施するための最良の形態】
【００１５】
図を用いて本実施形態を説明する。図１はパスケース１の分解斜視図及び透明シート２０の分解側面図であり、図２はパスケース１にＩＣカードを挿入する状態を説明する斜視図であり、図３はパスケース１の使用時の状態を説明する斜視図である。尚、図１（ｂ）は図１（ａ）における矢印Ａ方向から見た側面図である。
【００１６】
図１及び図２を用いてパスケース１の構成を説明する。
【００１７】
図に示すように、本実施形態のパスケース１は、ＩＣカードＣの表面側を保護する窓付きフロントシート１０と、透明シート２０と、ＩＣカードＣの裏面側を保護するベースシート３０とから構成される。材質は、窓付きフロントシート１０及びベースシート３０が皮革、透明シート２０が樹脂シートである。また、透明シート２０は窓付きフロントシート１０の裏面側に貼り付けられて固定され、窓付きフロントシート１０とベースシート３０とは縫いつけられて固定される。
【００１８】
次に図１を用いて各部を詳細に説明する。
【００１９】
窓付きフロントシート１０は、ベースシート３０に固定するための周縁部１１と、ＩＣカードＣの表面を視認するために空けられた窓部１２と、後述のマスク１４を取り付けるために空けられたマスク取付部１３とから構成される。マスク１４は、光を透過する光透過部１４ａを有し、その周りにはキャラクターなどの模様や装飾を施したものであり、マスク取付部１３の縁部に取り付けられる。
【００２０】
透明シート２０は、平面上に巻回されたアンテナコイル２１と、アンテナコイル２１の端部間に接続される発光ダイオード（ＬＥＤ）等の発光素子２２と、ＩＣカードＣを取り出しやすいように中央に空けたカード取り出し穴２３とを有し、窓付きフロントシート１０の窓部１２に取り付けられる。
【００２１】
ここで、図１（ｂ）に示すように、透明シート２０は、アンテナコイル２１の上下を、透明樹脂部材２０Ａ、２０Ｂでラミネート加工している。これにより、アンテナコイル２１の汚れや劣化を防止することができ、長い間、安定して電波を取得することができる。尚、アンテナコイル２１は、透明シート２０の上にパターン印刷して構成してもよい。
【００２２】
また、アンテナコイル２１は、透明シート２０の周縁に敷設している。これにより、アンテナコイル２１が窓付きフロントシート１０の周縁部１１に隠れるため、アンテナコイル２１が外から見えてしまうことを防止することができる。すると、外から見た場合、本実施形態のパスケース１に電流が流れて光透過部１４ａが光ることを予測されることがない。このため、使用時に光透過部１４ａが光ると、機器Ｂ通過時にマスク１４の模様に変化が生じ、使用者に意外性を与えることができ、パスケース１の嗜好性を向上させることができる。
【００２３】
ベースシート３０は、窓付きフロントシート１０と同様の材質で構成され、窓付きフロントシート１０に縫い付けられる。ここで、ベースシート３０は窓付きフロントシート１０よりもＩＣカードＣの挿入方向の長さが長く構成されている。このため、図２に示すように、ベースシート３０が窓付きフロントシート１０から表面側に露出した部分に沿ってＩＣカードＣを挿入すると、窓付きフロントシート１０とベースシート３０との間にスムーズに入れることができる。
【００２４】
図３を用いてパスケース１の使用時の状態を説明する。
【００２５】
ＩＣカードＣの入ったパスケース１を、ＩＣカードＣに内蔵されているＩＣチップの情報を読み書きする機器Ｂの上にかざす。このとき、機器ＢとＩＣカードＣの間では電波によって情報が送受信されている。ここで発せられる電波がパスケース１を通過するとき、アンテナコイル２１内には電流が発生し、発光素子２２を発光させる。すると、ここで発生した光がマスク１４の光透過部１４ａを透過し、マスク１４表面の模様の一部が光ることとなる。この結果、パスケース１の表面のマスク１４の模様に変化を与え、パスケース１の嗜好性を向上させることができる。
【００２６】
尚、本実施形態ではアンテナコイル２１の敷設場所を透明シート２０としたが、これに限るものではない。窓付きフロントシート１０やベースシート３０にあってもよい。例えば、図４に示すように、ベースシート３０を表面部材３０Ａと裏面部材３０Ｂとで構成し、これらでアンテナコイル３１を挟持して固定することとしてもよい。ここで、発光素子３２は、表面部材３０Ａの表面に構成された孔３０ａから表面に現れる。同様に、窓付きフロントシート１０側にアンテナコイルを設ける構成としてもよい。ここで、窓付きフロントシート１０やベースシート３０を不透明な部材で構成すれば、アンテナコイル３１が外部から見えないため、前述と同様に使用者に意外性を与えることができる。
【００２７】
〔他の実施形態〕
前述の実施形態においては、パスケース１を構成する材質について、窓付きフロントシート１０及びベースシート３０を皮革、透明シート２０を樹脂シートであるとしたが、材質はこれに限るものではない。例えば、窓付きフロントシート１０及びベースシート３０を合成樹脂としてもよい。
【００２８】
また、透明シート２０は窓付きフロントシート１０の裏面側に貼り付けられ、窓付きフロントシート１０とベースシート３０とが縫いつけられて固定されているとしたが、固定方法はこれに限るものではない。例えば、合成樹脂を熱により溶着させることもできる。
【００２９】
また、マスク１４は、必ずしもキャラクター等の模様だけでなくともよく、例えばロゴマークなど多様な装飾模様を選択することができる。また、マスク１４のマスク取付部１３を穴を空ける構成とするのではなく、周縁部１１の縁部に面ファスナーを付帯して、マスク１４の裏面にも面ファスナーを使用することで固定してもよい。この場合、マスク１４が周縁部１１に対して着脱可能な構成となる。このように、マスク１４のマスク取付部１３に対する固定を着脱可能とすると、他のマスクに容易に変更可能となる。ここで、マスクの種類を多数用意しておくと、多種類のマスクから選択することができ、更に嗜好性が向上させることができる。
【００３０】
また、発光素子２２は必ずしも発光ダイオードのような点状の発光体でなくともよく、面状、線状などの発光体など、他の多様な光装飾方式であってもよい。
【産業上の利用可能性】
【００３１】
本実施形態は、パスケースに限らず、電波が発生するものを収納するケース全般に用いることができる。
【図面の簡単な説明】
【００３２】
【図１】パスケース１の分解斜視図及び透明シート２０の分解側面図。
【図２】パスケース１にＩＣカードＣを挿入する状態を説明する斜視図。
【図３】パスケース１の使用時の状態を説明する斜視図。
【図４】パスケースの変形例におけるベースシート３０の分解斜視図及び断面図。
【符号の説明】
【００３３】
Ｂ…機器、Ｃ…ＩＣカード、１…パスケース、１０…窓付きフロントシート、１１…周縁部、１２…窓部、１３…マスク取付部、１４…マスク、１４ａ…光透過部、２０…透明シート、２０Ａ…透明樹脂部材、２０Ｂ…透明樹脂部材、２１…アンテナコイル、２２…発光素子、２３…カード取り出し穴、３０…ベースシート、３０Ａ…表面部材、３０Ｂ…裏面部材、３０ａ…孔、３１…アンテナコイル、３２…発光素子
【図１】
0003132128.tif 000003
【図２】
0003132128.tif 000004
【図３】
0003132128.tif 000005
【図４】
0003132128.tif 000006